(57)【要約】【課題】球技を行う者がボールを打つために使用する棒状の道具について、その道具がテークバックされた状態からボールに向けて振り出されたときの振り出し動作の適切な軌道を体得することができる素振り用練習器を提供すること。【解決手段】素振り用練習器１は、軸線２ａの方向に沿って延びるシャフト部２と、シャフト部２の基端側に設けられ、使用者Ｍが把握するグリップ部３と、シャフト部２に軸線２ａの方向に沿って移動可能に設けられた第一移動部材４と、シャフト部２に第一移動部材４よりシャフト部２の基端側に配置され、軸線２ａの方向に沿って移動可能に設けられた第二移動部材５と、を備えている。第一移動部材４の重さは、第二移動部材５の重さ以上となるように設定されている。【選択図】  図１
2020018672.tif 000002
【特許請求の範囲】
【請求項１】
軸線の方向に沿って延びる棒状に設けられたシャフト部と、
前記シャフト部の基端部に設けられ、使用者が把握するグリップ部と、
前記シャフト部に配置され、前記軸線の方向に沿って移動可能に設けられた第一移動部材と、
前記シャフト部に前記第一移動部材より前記シャフト部の基端側に配置され、前記軸線の方向に沿って移動可能に設けられた第二移動部材と、
前記シャフト部に前記第一移動部材および前記第二移動部材より前記シャフト部の先端側に配置され、前記第一移動部材および前記第二移動部材の前記シャフト部の先端側への移動を規制する第一ストッパ部と、
前記シャフト部に前記第一移動部材および前記第二移動部材より前記シャフト部の基端側に配置され、前記第一移動部材および前記第二移動部材の前記シャフト部の基端側への移動を規制する第二ストッパ部と、を備え、
前記第一移動部材の重さは、前記第二移動部材の重さ以上となるように設定されている素振り用練習器。
【請求項２】
前記第一移動部材および前記第二移動部材は、円筒状に形成されている請求項１に記載の素振り用練習器。
【請求項３】
前記第一移動部材および前記第二移動部材は、断面多角形状の筒状に形成されている請求項１に記載の素振り用練習器。
【請求項４】
前記第一移動部材および前記第二移動部材の少なくとも一方は、前記使用者によって素振りが行われた場合、空気を導入して音を発生させる音発生部を備えている請求項１乃至請求項３の何れか一項に記載の素振り用練習器。
【請求項５】
使用者が球技を行う際に実際にボールを打つ道具であって軸線の方向に沿って延びるシャフト部を有する棒状の道具に対して、着脱可能に設けられた素振り用練習器であって、
前記シャフト部に着脱可能に設けられ、かつ、前記軸線の方向に沿って移動可能に設けられた第一移動部材と、
前記シャフト部に前記第一移動部材より前記シャフト部の基端側に着脱可能に設けられ、かつ、前記軸線の方向に沿って移動可能に設けられた第二移動部材と、
前記シャフト部に前記第一移動部材および前記第二移動部材より前記シャフト部の先端側に着脱可能に設けられ、前記第一移動部材および前記第二移動部材の前記シャフト部の先端側への移動を規制する第一ストッパ部と、
前記シャフト部に前記第一移動部材および前記第二移動部材より前記シャフト部の基端側に着脱可能に設けられ、前記第一移動部材および前記第二移動部材の前記シャフト部の基端側への移動を規制する第二ストッパ部と、を備え、
前記第一移動部材の重さは、前記第二移動部材の重さ以上となるように設定されている素振り用練習器。
【発明の詳細な説明】
【技術分野】
【０００１】
本発明は、素振り用練習器に関する。
【背景技術】
【０００２】
特許文献１には、ゴルフのクラブの素振り練習をするためのゴルフスイング練習具（素振り用練習器）が開示されている。この素振り用練習器は、特許文献１の図１に示すように、シャフト、シャフトの軸線方向に沿って移動するインパクト分銅およびテークバック分銅、使用者が素振りをしていない場合に各分銅をグリップ側に磁力によって保持するベース部、並びに、使用者が素振りをした場合に各分銅の移動を規制する疑似ヘッドを備えている。また、シャフトに対するベース部の位置は、調整可能に設けられている。
【０００３】
ゴルフのスイングは、クラブが後方に引き上げられるテークバック動作から始まり、クラブがテークバックされた状態から切り返えされ、ボールに向けて振り出される振り出し動作、クラブのヘッドがボールに当たるインパクト動作、そして、クラブが振り抜かれるフォロースルー動作の順に構成される。クラブがインパクト動作に入ったときにインパクト分銅が、遠心力によってベース部から離れて移動を開始し、インパクト分銅と疑似ヘッドとが衝突して音が発生する。使用者は、この音がインパクトの位置にて発生すれば、正しい打ち方であると認識できる。ここで、スイングのスピードに応じて、インパクト分銅に作用する遠心力が変化する。このため、使用者は、自身のスイングのスピードに合わせてベース部の位置を調整する。
【先行技術文献】
【特許文献】
【０００４】
【特許文献１】特開２００１−９０７７号公報
【発明の概要】
【発明が解決しようとする課題】
【０００５】
ゴルフや野球などの球技におけるボールを打つ道具であるクラブやバットなどにおけるスイングの適切な軌道の体得は、球技を行う者が所望するところである。しかしながら、特許文献１の素振り用練習器においては、インパクト動作が適切であるか否かを判断することができるが、クラブなどの道具が、テークバックされた状態からボールに向けて振り出されたときの振り出し動作の軌道が適切であるか否かを判断することが困難である。
【０００６】
本発明は、上述した問題を解消するためになされたもので、球技を行う者がボールを打つために使用する棒状の道具について、その道具がテークバックされた状態からボールに向けて振り出されたときの振り出し動作の適切な軌道を体得することができる素振り用練習器を提供することを目的とする。
【課題を解決するための手段】
【０００７】
上記の課題を解決するため、請求項１に係る素振り用練習器は、軸線の方向に沿って延びる棒状に設けられたシャフト部と、シャフト部の基端部に設けられ、使用者が把握するグリップ部と、シャフト部に配置され、軸線の方向に沿って移動可能に設けられた第一移動部材と、シャフト部に第一移動部材よりシャフト部の基端側に配置され、軸線の方向に沿って移動可能に設けられた第二移動部材と、シャフト部に第一移動部材および第二移動部材よりシャフト部の先端側に配置され、第一移動部材および第二移動部材のシャフト部の先端側への移動を規制する第一ストッパ部と、シャフト部に第一移動部材および第二移動部材よりシャフト部の基端側に配置され、第一移動部材および第二移動部材のシャフト部の基端側への移動を規制する第二ストッパ部と、を備え、第一移動部材の重さは、第二移動部材の重さ以上となるように設定されている。
【０００８】
また、請求項５に係る素振り用練習器は、使用者が球技を行う際に実際にボールを打つ道具であって軸線の方向に沿って延びるシャフト部を有する棒状の道具に対して、着脱可能に設けられた素振り用練習器であって、シャフト部に着脱可能に設けられ、かつ、軸線の方向に沿って移動可能に設けられた第一移動部材と、シャフト部に第一移動部材よりシャフト部の基端側に着脱可能に設けられ、かつ、軸線の方向に沿って移動可能に設けられた第二移動部材と、シャフト部に第一移動部材および第二移動部材よりシャフト部の先端側に着脱可能に設けられ、第一移動部材および第二移動部材のシャフト部の先端側への移動を規制する第一ストッパ部と、シャフト部に第一移動部材および第二移動部材よりシャフト部の基端側に着脱可能に設けられ、第一移動部材および第二移動部材のシャフト部の基端側への移動を規制する第二ストッパ部と、を備え、第一移動部材の重さは、第二移動部材の重さ以上となるように設定されている。
【発明の効果】
【０００９】
球技におけるボールを打つ棒状の道具のスイングは、使用者が道具の基端部を握って、道具が後方に引き上げられるテークバック動作から始まり、道具がテークバックされた状態から切り返えされて、ボールに向けて振り出される振り出し動作、道具の先端部（ヘッド）がボールに当たるインパクト動作、そして、クラブが振り抜かれるフォロースルー動作の順に構成される。振り出し動作は、道具が、道具の基端側から、およそ道具の軸線の方向に沿って振り出された場合に適切な軌道となる。
【００１０】
これに対して、請求項１の素振り用練習器によれば、素振り用練習器を用いて素振りが行われたときにおいて、振り出し動作の軌道が適切である場合、第一移動部材および第二移動部材より先にシャフト部が、基端側からおよそ軸線の方向に沿って移動するため、第一移動部材および第二移動部材がおよそ同時に、シャフト部の基端側から先端側に、シャフト部に対して相対的に移動する。そして、第一移動部材と第一ストッパ部との衝突と、第一移動部材と第二移動部材との衝突とがおよそ同時に発生し、それぞれの衝突音がおよそ同時に発生する。
【００１１】
一方、振り出し動作の軌道が適切でない場合、例えば、振り出し動作において素振り用練習器がシャフト部の基端側を中心に回転する場合、第一移動部材および第二移動部材に作用する遠心力によって、まず第一移動部材のみがシャフト部の基端側から先端側に移動し、これに遅れて第二移動部材がシャフト部の基端側から先端側に移動する。このため、振り出し動作の軌道が適切である場合に比べて、第一移動部材と第一ストッパ部との衝突音の発生時と、第一移動部材と第二移動部材との衝突音の発生時との間の時間が長くなる。したがって、素振り用練習器の使用者は、これらの衝突音によって、振り出し動作の軌道が適切であるか否かを判断することができる。
【００１２】
また、仮に、第一移動部材の重さが第二移動部材の重さより小さく設定されている場合、振り出し動作の軌道が適切である場合においても、第一移動部材が第二移動部材より先に移動を開始することが考えられる。これに対して、本発明の素振り用練習器は、第一移動部材の重さが第二移動部材の重さ以上となるように設定されているため、振り出し動作の軌道が適切である場合において、第一移動部材が第二移動部材より先に移動することを抑制することができる。よって、素振り用練習器の使用者は、振り出し動作の軌道が適切であるか否かを、確実に判断することができる。したがって、素振り用練習器の使用者は、ボールを打つために使用する棒状の道具について、その道具がテークバックされた状態からボールに向けて振り出されたときの振り出し動作の適切な軌道を体得することができる。
【００１３】
また、請求項５の素振り用練習器によれば、使用者は、球技を行う際に実際に使用している道具に素振り用練習器を取り付けて素振りを行うことにより、上述した請求項１の素振り用練習器の効果と同様に、その道具がテークバックされた状態からボールに向けて振り出されたときの振り出し動作の適切な軌道を体得することができる。
【図面の簡単な説明】
【００１４】
【図１】本発明の第一実施形態に係る素振り用練習器の軸方向断面図である。
【図２】図１に示すII-II線に沿った素振り用練習器の断面図である。
【図３Ａ】ゴルフのクラブのスイングにおいて、テークバックされた状態を示す図である。
【図３Ｂ】ゴルフのクラブのスイングにおいて、テークバックされた状態からクラブが振り出された状態を示す図である。
【図３Ｃ】ゴルフのクラブのスイングにおいて、インパクトの状態を示す図である。
【図３Ｄ】ゴルフのクラブのスイングにおいて、フォロースルーの状態を示す図である。
【図４】スイングの軌道が適切である場合において、第一移動部材および第二移動部材がシャフト部の先端側へ向けて移動している状態を示す図である。
【図５】スイングの軌道が適切である場合において、第一移動部材および第二移動部材が衝突した状態を示す図である。
【図６】スイングの軌道が適切でない場合において、第一移動部材が第二移動部材より先にシャフト部の先端側に向けて移動している状態を示す図である。
【図７】本発明の第一実施形態の第一変形例に係る第一移動部材の断面図である。
【図８】本発明の第一実施形態の第二変形例に係る第一移動部材の断面図である。
【図９】本発明の第一実施形態の第三変形例に係る第一移動部材の断面図である。
【図１０】本発明の第二実施形態に係る素振り用練習器の概要図である。
【図１１】図１０に示す第一移動部材の断面図である。
【図１２】図１０に示す第一ストッパ部の平面図である。
【発明を実施するための形態】
【００１５】
＜第一実施形態＞
以下、本発明の第一実施形態に係る素振り用練習器１について図面を参照しながら説明する。素振り用練習器１は、ゴルフや野球などの球技におけるボールを打つ道具であるクラブやバットなどにおいて、スイングの適切な軌道を体得するためのものである。素振り用練習器１は、使用者Ｍが素振りを行う場合に、ボールを打つ道具の代わりに用いられる。
【００１６】
素振り用練習器１は、図１に示すように、シャフト部２、グリップ部３、第一移動部材４、第二移動部材５、第一ストッパ部６および第二ストッパ部７を備えている。
【００１７】
シャフト部２は、軸線２ａの方向に沿って延びる棒状に設けられたものである。シャフト部２は、円柱状に設けられている。シャフト部２は、例えばステンレス鋼によって設けられている。シャフト部２の基端は、シャフト部２における図１の左側の端である。一方、シャフト部２の先端は、シャフト部２における図１の右側の端である。
【００１８】
グリップ部３は、シャフト部２の基端部に設けられ、使用者Ｍが把握するものである。グリップ部３は、ゴム等の弾性体を用いて設けられ、シャフト部２の基端部の外周面に固定されている。
【００１９】
第一移動部材４は、シャフト部２に配置され、軸線２ａの方向に沿って移動可能に設けられたものである。第一移動部材４は、図１および図２に示すように、内径をシャフト部２の外径より大きくなるように設定された円筒状に設けられている。
【００２０】
第一移動部材４は、シャフト部２を内側に位置させるように配置されている。第一移動部材４は、例えば熱可塑性樹脂や木材、ウレタンフォーム、紙などを用いて形成されている。
【００２１】
第二移動部材５は、シャフト部２に配置され、軸線２ａの方向に沿って移動可能に設けられたものである。第二移動部材５は、内径をシャフト部２の外径より大きくなるように設定された円筒状に設けられている。第二移動部材５は、第一移動部材４と同形状に設けられている。
【００２２】
第二移動部材５は、シャフト部２を内側に位置させるように配置されている。第二移動部材５は、シャフト部２に第一移動部材４よりシャフト部２の基端側に配置されている。第二移動部材５は、例えば熱可塑性樹脂や木材、ウレタンフォーム、紙などを用いて形成されている。第二移動部材５は、第一移動部材４と同材料にて設けられている。
【００２３】
また、第一移動部材４の重さは、第二移動部材５の重さ以上となるように設定されている。本第一実施形態においては、第一移動部材４の重さと第二移動部材５の重さとが、同じとなるように設定されている。
【００２４】
第一ストッパ部６は、シャフト部２に第一移動部材４および第二移動部材５よりシャフト部２の先端側に配置され、第一移動部材４および第二移動部材５のシャフト部２の先端側への移動を規制するものである。第一ストッパ部６は、外径を移動部材４，５の外径より大きく設定された円板状に形成されている。第一ストッパ部６は、例えば、熱可塑性樹脂にて設けられている。第一ストッパ部６は、シャフト部２の先端部に固定されている。
【００２５】
第二ストッパ部７は、シャフト部２に第一移動部材４および第二移動部材５よりシャフト部２の基端側に配置され、第一移動部材４および第二移動部材５のシャフト部２の基端側への移動を規制するものである。第二ストッパ部７は、外径を移動部材４，５の外径より大きく設定された円板状に形成されている。第二ストッパ部７は、グリップ部３と第二移動部材５との間にて、シャフト部２の基端側の面とグリップ部３とが接触するように固定されている。第二ストッパ部７は、第一ストッパ部６と同形状および同材料にて設けられている。
【００２６】
次に、使用者Ｍがゴルフのスイングの適切な軌道を体得するために、使用者Ｍが素振り用練習器１を用いて素振りを行った場合における素振り用練習器１の動作について説明する。はじめに、ゴルフのクラブＣを用いたスイングについて、図３Ａ乃至図３Ｄを用いて説明する。
【００２７】
ゴルフのスイングは、クラブＣを後方に引き上げるテークバック動作から始まる。そして、テークバックが完了した状態（図３Ａ参照）からクラブＣが切り返され、クラブＣがボールＢに向けて振り出される（図３Ｂ参照）。クラブＣがテークバックされた状態からボールＢに向けて振り出されたときの振り出し動作は、クラブＣの基端側から、クラブＣのおよそシャフト部ＳＨの軸線の方向に沿って振り出された場合に適切な軌道となる。
【００２８】
続けて、ゴルフのスイングは、クラブＣのヘッド部ＨがボールＢに当たるインパクト動作（図３Ｃ参照）、クラブＣが振り抜かれるフォロースルー動作（図３Ｄ参照）の順に行われる。なお、使用者Ｍによるスイングによって、クラブＣのヘッド部Ｈが移動する方向を、スイング方向Ｓとする。
【００２９】
次に、使用者Ｍが素振り用練習器１を用いて素振りを行った場合における移動部材４，５の動作について図１および図４乃至図６を用いて説明する。使用者は、はじめにテークバック動作を行う。
【００３０】
素振り用練習器１がテークバックされた状態においては、素振り用練習器１の基端側が下方を向き、先端側が上方を向いているため、移動部材４，５は、自重にてシャフト部２の基端側に位置する。具体的には、第二移動部材５が第二ストッパ部７に接触し、第一移動部材４が第二移動部材５と接触している（図１参照）。このように、第二ストッパ部７によって移動部材４，５のシャフト部２の基端側への移動が規制される。
【００３１】
続けて、振り出し動作が適切な軌道にて行われた場合、素振り用練習器１が、基端側からおよそシャフト部２の軸線２ａの方向に沿って振り出される。このとき、第一移動部材４および第二移動部材５より先にシャフト部２が、基端側からおよそ軸線２ａの方向に沿って移動するため（図４の矢印Ｙ参照）、第一移動部材４と第二移動部材５とがおよそ同時に、シャフト部２の基端側から先端側に、シャフト部２に対して相対的に移動する（図４参照）。
【００３２】
また、このとき、移動部材４，５がシャフト部２によってスイング方向Ｓに引っ張られる状態になるため、シャフト部２の外周面と移動部材４，５の内周面とがスイング方向Ｓにて接触する。すなわち、移動部材４，５の内周面とシャフト部２の内周面とが摺動しながら、移動部材４，５が移動する。
【００３３】
そして、第一移動部材４が第一ストッパ部６に衝突し、これとおよそ同時に、第二ストッパ部７が第一移動部材４に衝突する（図５参照）。このように、第一ストッパ部６によって移動部材４，５のシャフト部２の先端側への移動が規制される。なお、スイングのスピードが速くなるにしたがって、クラブＣの振り出し動作が開始された時点から移動部材４，５が、シャフト部２の先端部にて衝突する時点までの時間が短くなる。
【００３４】
振り出し動作に続けて、素振り用練習器１がシャフト部２の基端側を中心に回転して、インパクト動作、フォロースルー動作が行われる。
【００３５】
一方、振り出し動作の軌道が適切でない場合、例えば、シャフト部２がおよそ軸線２ａの方向に沿って移動せずに、素振り用練習器１がシャフト部２の基端側を中心に回転する場合について説明する。この場合、第一移動部材４および第二移動部材５に作用する遠心力によって、まず第一移動部材４のみがシャフト部２の基端側から先端側に移動し、これに遅れて第二移動部材５がシャフト部２の基端側から先端側に移動する（図６参照）。そして、第一移動部材４が第一ストッパ部６に衝突した後、第二ストッパ部７が第一移動部材４に衝突する。
【００３６】
本第一実施形態によれば、素振り用練習器１は、軸線２ａの方向に沿って延びる棒状に設けられたシャフト部２と、シャフト部２の基端部に設けられ、使用者Ｍが把握するグリップ部３と、シャフト部２に配置され、軸線２ａの方向に沿って移動可能に設けられた第一移動部材４と、シャフト部２に第一移動部材４よりシャフト部２の基端側に配置され、軸線２ａの方向に沿って移動可能に設けられた第二移動部材５と、シャフト部２に第一移動部材４および第二移動部材５よりシャフト部２の先端側に配置され、第一移動部材４および第二移動部材５のシャフト部２の先端側への移動を規制する第一ストッパ部６と、シャフト部２に第一移動部材４および第二移動部材５よりシャフト部２の基端側に配置され、第一移動部材４および第二移動部材５のシャフト部２の基端側への移動を規制する第二ストッパ部７と、を備えている。第一移動部材４の重さは、第二移動部材５の重さ以上となるように設定されている。
【００３７】
これによれば、素振り用練習器１を用いて素振りが行われたときにおいて、振り出し動作の軌道が適切である場合、第一移動部材４および第二移動部材５より先にシャフト部２が、基端側からおよそ軸線２ａの方向に沿って移動するため、第一移動部材４および第二移動部材５がおよそ同時に、シャフト部２の基端側から先端側に、シャフト部２に対して相対的に移動する。そして、第一移動部材４と第一ストッパ部６との衝突と、第一移動部材４と第二移動部材５との衝突とがおよそ同時に発生し、それぞれの衝突音がおよそ同時に発生する。
【００３８】
一方、振り出し動作の軌道が適切でない場合、例えば、振り出し動作において素振り用練習器１がシャフト部２の基端側を中心に回転する場合、第一移動部材４および第二移動部材５に作用する遠心力によって、まず第一移動部材４のみがシャフト部２の基端側から先端側に移動し、これに遅れて第二移動部材５がシャフト部２の基端側から先端側に移動する。このため、振り出し動作の軌道が適切である場合に比べて、第一移動部材４と第一ストッパ部６との衝突音の発生時と、第一移動部材４と第二移動部材５との衝突音の発生時との間の時間が長くなる。したがって、素振り用練習器１の使用者は、これらの衝突音によって、振り出し動作の軌道が適切であるか否かを判断することができる。
【００３９】
また、仮に、第一移動部材４の重さが第二移動部材５の重さより小さく設定されている場合、振り出し動作の軌道が適切である場合においても、第一移動部材４が第二移動部材５より先に移動を開始することが考えられる。これに対して、本発明の素振り用練習器１は、第一移動部材４の重さが第二移動部材５の重さ以上となるように設定されているため、振り出し動作の軌道が適切である場合において、第一移動部材４が第二移動部材５より先に移動することを抑制することができる。よって、素振り用練習器１の使用者は、振り出し動作の軌道が適切であるか否かを、確実に判断することができる。したがって、素振り用練習器１の使用者は、ボールを打つために使用する棒状の道具について、その道具がテークバックされた状態からボールに向けて振り出されたときの振り出し動作の適切な軌道を体得することができる。
【００４０】
また、第一移動部材４および第二移動部材５は、円筒状に形成されている。
これによれば、第一移動部材４および第二移動部材５を、比較的簡便に作成することができる。
【００４１】
＜第一実施形態の第一変形例＞
次に、第一実施形態の第一変形例について、主として上述した第一実施形態と異なる部分を、図７を用いて説明する。上述した第一実施形態の移動部材４，５は、断面円筒状に設けられているが、本第一変形例の移動部材１４，１５においては、断面多角形状の筒状に形成されている。本第一変形例においては、断面凸多角形状の一つである断面三角形状に形成されている。
【００４２】
この場合、振り出し動作において、シャフト部１２の移動により移動部材１４，１５がスイング方向Ｓに引っ張られるため、移動部材１４，１５の任意の頂点の内側にシャフト部１２が位置する。
【００４３】
このとき、上述した第一実施形態のように移動部材１４，１５が円筒状に形成されている場合に比べて、移動部材１４，１５の周りの空気の流れが乱れる。特に、移動部材１４，１５におけるスイング方向Ｓと反対方向側の面において空気の乱れが生じやすい。よって、移動部材１４，１５が円筒状に形成されている場合に比べて、この空気の流れによって発生する音（スイング音）が大きくなる。
【００４４】
また、スイングの速さは、シャフト部１２の基端側より先端側の方が速い。よって、スイング音は、移動部材１４，１５が基端側に位置する場合よりも先端側に位置する場合の方が大きくなる。
【００４５】
本第一変形例によれば、第一移動部材１４および第二移動部材１５は、断面多角形状の筒状に形成されている。
【００４６】
これによれば、振り出し動作以降のスイングにおいて、移動部材１４，１５が円筒状に形成されている場合に比べて、この空気の流れによって発生する音（スイング音）が大きくなる。
【００４７】
また、スイングの速さは、シャフト部１２の基端側より先端側の方が速いため、スイング音は、移動部材１４，１５が基端側に位置する場合よりも先端側に位置する場合の方が大きくなる。よって、使用者Ｍは、スイング音の大きさによって、移動部材１４，１５が先端側に移動したか否かを判断することができる。これにより、使用者Ｍは、スイング音が早期に大きくなるように素振り練習することにより、スイングスピード（スイングの速さ）を向上させることができる。
【００４８】
＜第一実施形態の第二変形例＞
次に、第一実施形態の第二変形例について、主として上述した第一変形例と異なる部分を、図８を用いて説明する。本第二変形例の移動部材２４，２５においては、断面凹多角形状の一つである断面六角形状に形成されている。本第二変形例においても、素振り用練習器１は、上述した第一変形例と同様の効果を有する。
【００４９】
＜第一実施形態の第三変形例＞
次に、第一実施形態の第三変形例について、主として上述した第一実施形態と異なる部分を、図９を用いて説明する。本第三変形例において移動部材３４，３５は、同一の形状および同一の材料にて設けられているため、以下、第一移動部材３４についてのみ説明する。第一移動部材３４は、移動ガイド部３４ａおよび音発生部３４ｂを備えている。移動ガイド部３４ａと音発生部３４ｂとは、一体的に設けられている。
【００５０】
移動ガイド部３４ａは、第一移動部材３４がシャフト部３２を軸線３２ａの方向に沿って移動する場合に、第一移動部材３４を案内するものである。移動ガイド部３４ａは、断面四角形状の筒状に軸線３２ａの方向に沿って延びるように設けられている。
【００５１】
音発生部３４ｂは、使用者Ｍによって素振りが行われた場合、空気を導入して音を発生させるものである。音発生部３４ｂは、軸線３２ａに直交する方向（以下、直交方向Ｖとする。）に沿って延びるように設けられている。音発生部３４ｂは、第一移動部材３４の重心が直交方向Ｖの一方側Ｖ１（図９においては右側）に位置するように、直交方向Ｖにおいて移動ガイド部３４ａより長くなるように設けられている。音発生部３４ｂは、空気導入部３４ｂ１、筒部３４ｂ２および空気導出部３４ｂ３を備えている。
【００５２】
空気導入部３４ｂ１は、筒部３４ｂ２に空気を導入する流路である。空気導入部３４ｂ１は、直交方向Ｖに沿って延びるとともに、直交方向Ｖの一方側Ｖ１に向かうにしたがって、流路断面積を小さくするように設けられている。空気導入部３４ｂ１は、直交方向Ｖの他方側Ｖ２（図９の左側）の方向に向けて開口する第一開口部３４ｂ４、および、直交方向Ｖの一方側Ｖ１の方向に向けて開口して筒部３４ｂ２に接続する第二開口部３４ｂ５を備えている。また、空気導入部３４ｂ１は、第二開口部３４ｂ５から導出された空気が、後述する尖り部３４ｂ６に当たるように設けられている。
【００５３】
筒部３４ｂ２は、直交方向Ｖに沿って延びるとともに、直交方向Ｖの一方側Ｖ１に向かうにしたがって、内径を小さくする筒状に設けられたものである。筒部３４ｂ２は、直交方向Ｖの他方側Ｖ２に設けられた空気導入部３４ｂ１の第二開口部３４ｂ５から空気が導入される。第二開口部３４ｂ５から導入された空気は、筒部３４ｂ２の直交方向Ｖの一方側Ｖ１の第三開口部３４ｂ７、および空気導出部３４ｂ３から外部に向けて導出される。
【００５４】
空気導出部３４ｂ３は、筒部３４ｂ２から外部に向けて空気を導出する開口部である。空気導出部３４ｂ３は、第一移動部材３４の周側壁に開口するように設けられている。空気導出部３４ｂ３は、直交方向Ｖの一方側Ｖ１に尖り部３４ｂ６が設けられている。尖り部３４ｂ６は、直交方向Ｖの他方側Ｖ２に向かうにしたがって尖るように設けられている。
【００５５】
次に、使用者Ｍが素振り用練習器１を用いて素振りを行った場合における音発生部３４ｂの動作について説明する。使用者Ｍによって素振りが行われた場合、シャフト部３２の移動により第一移動部材３４がスイング方向Ｓに引っ張られるため、シャフト部３２の外周面と移動ガイド部３４ａの内周面とが、第一移動部材３４の重心をシャフト部３２からスイング方向Ｓの反対側に位置させるように接触する。
【００５６】
このとき、スイング方向Ｓと直交方向Ｖがおよそ同じ方向となるため、第一開口部３４ｂ４がスイング方向Ｓに向けて開口する。これにより第一開口部３４ｂ４から空気が導入され、空気導入部３４ｂ１を介して筒部３４ｂ２に空気が導入される。また、空気導入部３４ｂ１の第二開口部３４ｂ５から尖り部３４ｂ６に当たった空気が乱れている。
【００５７】
そして、筒部３４ｂ２内の空気の圧力が高くなると、第二開口部３４ｂ５から導出された空気は、筒部３４ｂ２に導入せずに、空気導出部３４ｂ３から外部に導出される。これにより、筒部３４ｂ２内の空気の圧力が低くなると、第二開口部３４ｂ５から導出された空気は、再び筒部３４ｂ２内に導入される。これらが繰返されることにより、筒部３４ｂ２が共鳴するため、音発生部３４ｂにて音が発生する。
【００５８】
また、スイングのスピードは、シャフト部３２の基端側より先端側の方が大きい。よって、空気導入部３４ｂ１に導入する空気の流量（単位時間あたりの流量）は、シャフト部３２の基端側より先端側の方が大きい。したがって、第一移動部材３４がシャフト部３２の基端側に位置する場合よりも、第一移動部材３４がシャフト部３２の先端側に位置する場合の方が、音発生部３４ｂから発生する音の大きさが大きくなる。
【００５９】
本第三変形例によれば、第一移動部材３４および第二移動部材３５は、使用者Ｍによって素振りが行われた場合、空気を導入して音を発生させる音発生部３４ｂを備えている。
【００６０】
これによれば、移動部材３４，３５が音発生部３４ｂを備えていない場合に比べて、スイング音を大きくすることができる。よって、使用者Ｍは、移動部材３４，３５が移動したことを簡便に判断することができる。
【００６１】
＜第二実施形態＞
次に、本発明の第二実施形態に係る素振り用練習器４１について図１０乃至図１２を用いて説明する。本第二実施形態の素振り用練習器４１は、使用者Ｍが球技を行う際に実際にボールを打つ道具に対して、着脱可能に設けられたものである。ボールを打つ道具は、球技がゴルフである場合はクラブに相当し、球技が野球である場合はバットに相当する。以下、ボールを打つ道具がゴルフのクラブＣであるとして説明する。
【００６２】
ボールを打つ道具であるクラブＣは、軸線ＳＨａの方向に沿って延びるシャフト部ＳＨを有する棒状の道具である。道具がクラブＣである場合、シャフト部ＳＨは、グリップ部Ｇとヘッド部Ｈとを接続する部位に相当する（図１０参照）。
【００６３】
素振り用練習器４１は、図１０に示すように、第一移動部材４４、第二移動部材４５、第一ストッパ部４６および第二ストッパ部４７を備えている。
【００６４】
第一移動部材４４は、シャフト部ＳＨに着脱可能に設けられ、かつ、軸線ＳＨａの方向に沿って移動可能に設けられたものである。第一移動部材４４は、図１１に示すように、内径をシャフト部ＳＨの外径より大きくなるように設定された円筒状に設けられている。第一移動部材４４は、例えば熱可塑性樹脂や木材、ゴム、ウレタンフォームを用いて形成されている。本第二実施形態においては、第一移動部材４４は、シャフト部ＳＨに対して滑りの良い材料（例えば熱可塑性樹脂や木材）によって設けられている。
【００６５】
第一移動部材４４の周側壁には、第一移動部材４４の軸線の方向に沿って、両端に亘って延びる開口部４４ａが設けられている。第一移動部材４４に外力が作用していない状態において、開口部４４ａにおける第一移動部材４４の周方向の長さは、シャフト部ＳＨの外径より小さくなるように設定されている。第一移動部材４４は、外力によって開口部４４ａが周方向に広げられるように変形された後、外力が取り除かれた場合に、元の形状に回復する弾性を有するように設けられている。
【００６６】
第二移動部材４５は、シャフト部ＳＨに第一移動部材４４よりシャフト部ＳＨの基端側に着脱可能に設けられ、かつ、軸線ＳＨａの方向に沿って移動可能に設けられたものである。第二移動部材４５は、内径をシャフト部ＳＨの外径より大きくなるように設定された円筒状に設けられている。第二移動部材４５は、例えば熱可塑性樹脂や木材、ゴム、ウレタンフォームを用いて形成されている。
【００６７】
第二移動部材４５は、第一移動部材４４と同形状および同材料にて設けられ、第一移動部材４４と同様の開口部４５ａを有している。第二移動部材４５は、シャフト部ＳＨに第一移動部材４４よりシャフト部ＳＨの基端側に配置される。
【００６８】
また、第一移動部材４４の重さは、第二移動部材４５の重さ以上となるように設定されている。本第二実施形態においては、第一移動部材４４の重さと第二移動部材４５の重さとが、同じとなるように設定されている。
【００６９】
移動部材４４，４５をシャフト部ＳＨに取付ける場合、使用者Ｍが開口部４４ａ，４５ａを周方向に広げ、シャフト部ＳＨを、開口部４４ａ，４５ａを介して移動部材４４，４５の内側に位置させる。移動部材４４，４５が有する弾性によって、移動部材４４，４５の形状が回復することにより、移動部材４４，４５がシャフト部ＳＨから外れない。
【００７０】
一方、移動部材４４，４５をシャフト部ＳＨから取り外す場合、使用者Ｍが開口部４４ａ，４５ａを周方向に広げ、シャフト部ＳＨを、開口部４４ａ，４５ａを介して移動部材４４，４５の外側に位置させる。このように、移動部材４４，４５とシャフト部ＳＨとが着脱可能になっている。
【００７１】
第一ストッパ部４６は、シャフト部ＳＨに第一移動部材４４および第二移動部材４５よりシャフト部ＳＨの先端側に着脱可能に設けられ、第一移動部材４４および第二移動部材４５のシャフト部ＳＨの先端側への移動を規制するものである。第一ストッパ部４６は、シャフト部ＳＨにヘッド部Ｈと第一移動部材４４との間に配置される。
【００７２】
第一ストッパ部４６は、外形状を移動部材４４，４５の外径より大きくなるように設定された平面視四角形状の板状に形成されている。第一ストッパ部４６は、熱可塑性樹脂や木材、ゴム、ウレタンフォームによって形成されている。第一ストッパ部４６は、嵌合部４６ａおよびシャフトガイド部４６ｂを備えている。
【００７３】
嵌合部４６ａは、シャフト部ＳＨが嵌る部位である。嵌合部４６ａは、内径をシャフト部ＳＨの外径より若干小さくするように設定された貫通穴である。嵌合部４６ａの周縁には、開口部４６ａ１が設けられている。第一ストッパ部４６に外力が作用していない状態において、開口部４６ａ１の周方向の長さは、シャフト部ＳＨの外径より小さくなるように設定されている。
【００７４】
シャフトガイド部４６ｂは、嵌合部４６ａにシャフト部ＳＨを嵌める場合に、シャフト部ＳＨを第一ストッパ部４６の外周から嵌合部４６ａの開口部４６ａ１に案内するものである。第一ストッパ部４６は、外力によってシャフトガイド部４６ｂおよび開口部４６ａ１が嵌合部４６ａの周方向に広げられるように変形された後、外力が取り除かれた場合に、元の形状に回復する弾性を有するように設けられている。
【００７５】
第二ストッパ部４７は、シャフト部ＳＨに第一移動部材４４および第二移動部材４５よりシャフト部ＳＨの基端側に着脱可能に設けられ、第一移動部材４４および第二移動部材４５のシャフト部ＳＨの基端側への移動を規制するものである。第二ストッパ部４７は、外形状を移動部材４４，４５の外径より大きくなるように設定された平面視四角形状の板状に形成されている。第二ストッパ部４７は、熱可塑性樹脂や木材、ゴム、ウレタンフォームによって形成されている。
【００７６】
第二ストッパ部４７は、第一ストッパ部４６と同形状および同材料にて設けられ、第一ストッパ部４６と同様の嵌合部４７ａおよびシャフトガイド部４７ｂを有している。第二ストッパ部４７は、シャフト部ＳＨに第二移動部材４５とグリップ部Ｇとの間に配置される。
【００７７】
各ストッパ部４６，４７をシャフト部ＳＨに取付ける場合、使用者Ｍがシャフトガイド部４６ｂ，４７ｂおよび開口部４６ａ１，４７ａ１を周方向に広げ、シャフト部ＳＨをシャフトガイド部４６ｂに沿って開口部４６ａ１，４７ａ１に向けて移動させて、嵌合部４６ａ，４７ａに嵌める。各ストッパ部４６，４７が有する弾性によって、各ストッパ部４６，４７がシャフト部ＳＨから外れない。
【００７８】
一方、各ストッパ部４６，４７をシャフト部ＳＨから取り外す場合、使用者Ｍがシャフトガイド部４６ｂおよび開口部４６ａ１，４７ａ１を周方向に広げ、シャフト部ＳＨを嵌合部からシャフトガイド部４６ｂに沿って移動させて取り外す。このように、各ストッパ部４６，４７とシャフト部ＳＨとが着脱可能になっている。
【００７９】
使用者Ｍは、球技にて実際に使用する道具を用いて素振り練習する際に、素振り用練習器４１（移動部材４４，４５および各ストッパ部４６，４７）を道具に取付ける。素振り用練習器４１を取り付けた道具にて使用者Ｍが素振りを行うことにより、移動部材４４，４５は、上述した第一実施形態の移動部材４，５と同様に動作する。
【００８０】
本第二実施形態によれば、素振り用練習器４１は、使用者Ｍが球技を行う際に実際にボールを打つ道具であって軸線ＳＨａの方向に沿って延びるシャフト部ＳＨを有する棒状の道具に対して、着脱可能に設けられた素振り用練習器である。素振り用練習器４１は、シャフト部ＳＨに着脱可能に設けられ、かつ、軸線ＳＨａの方向に沿って移動可能に設けられた第一移動部材４４と、シャフト部ＳＨに第一移動部材４４よりシャフト部ＳＨの基端側に着脱可能に設けられ、かつ、軸線ＳＨａの方向に沿って移動可能に設けられた第二移動部材４５と、シャフト部ＳＨに第一移動部材４４および第二移動部材４５よりシャフト部ＳＨの先端側に着脱可能に設けられ、第一移動部材４４および第二移動部材４５のシャフト部ＳＨの先端側への移動を規制する第一ストッパ部４６と、シャフト部ＳＨに第一移動部材４４および第二移動部材４５よりシャフト部ＳＨの基端側に着脱可能に設けられ、第一移動部材４４および第二移動部材４５のシャフト部ＳＨの基端側への移動を規制する第二ストッパ部４７と、を備えている。第一移動部材４４の重さは、第二移動部材４５の重さ以上となるように設定されている。
【００８１】
これによれば、使用者Ｍは、球技を行う際に実際に使用している道具に素振り用練習器４１を取り付けて素振りを行うことにより、上述した第一実施形態の素振り用練習器１と同様に、その道具がテークバックされた状態からボールに向けて振り出されたときの振り出し動作の適切な軌道を体得することができ、さらに、スイングスピードの向上ができるように素振りを行うことができる。
【００８２】
なお、上述した各実施形態において、素振り用練習器の一例を示したが、本発明はこれに限定されず、他の構成を採用することもできる。例えば、移動部材４，５，１４，１５，２４，２５，３４，３５，４４，４５は、円筒状または断面多角形状の筒状に形成されているが、これに代えて、断面四角形状や断面楕円状の筒状に形成するようにしても良い。
【００８３】
また、上述した各実施形態において、第一移動部材４，１４，２４，３４，４４と第二移動部材５，１５，２５，３５，４５とがそれぞれ互いに同一の形状および材料にて設けられているが、これに代えて、第一移動部材４，１４，２４，３４，４４と第二移動部材５，１５，２５，３５，４５とがそれぞれ互いに異なる形状および材料にて設けられているようにしても良い。
【００８４】
また、上述した各実施形態において、第一ストッパ部６，４６と第二ストッパ部７，４７とが互いに同一の形状および材料にて設けられているが、これに代えて、第一ストッパ部６，４６と第二ストッパ部７，４７とが互いに異なる形状および材料にて設けられているようにしても良い。
【００８５】
また、上述した第一実施形態の第三変形例において、移動部材３４，３５に音発生部３４ｂが設けられているが、これに代えて、第一移動部材３４および第二移動部材３５の一方に音発生部３４ｂを設けるようにしても良い。
【００８６】
また、上述した各実施形態において、第一移動部材４，１４，２４，３４，４４の重さと第二移動部材５，１５，２５，３５，４５の重さとは、互いに同じとなるように設けられているが、これに代えて、第一移動部材４，１４，２４，３４，４４の重さを第二移動部材５，１５，２５，３５，４５の重さより重くなるように設定するようにしても良い。
【００８７】
上述した第二実施形態において、道具をゴルフのクラブＣとしたが、これに代えて、道具を野球のバットとしても良い。道具がバットである場合、シャフト部は、グリップ部とヘッド部との間の部位に相当する。
【００８８】
また、本発明の要旨を逸脱しない範囲において、シャフト部２，１２，３２、グリップ部３、第一移動部材４，１４，２４，３４，４４、第二移動部材５，１５，２５，３５，４５、第一ストッパ部６，４６、第二ストッパ部７，４７、および、音発生部３４ｂの形状および位置を変更するようにしても良い。
【符号の説明】
【００８９】
１…素振り用練習器、２…シャフト部、２ａ…軸線、３…グリップ部、４…第一移動部材、５…第二移動部材、６…第一ストッパ部、７…第二ストッパ部、３４ｂ…音発生部。
【図１】
2020018672.tif 000003
【図２】
2020018672.tif 000004
【図３Ａ】
2020018672.tif 000005
【図３Ｂ】
2020018672.tif 000006
【図３Ｃ】
2020018672.tif 000007
【図３Ｄ】
2020018672.tif 000008
【図４】
2020018672.tif 000009
【図５】
2020018672.tif 000010
【図６】
2020018672.tif 000011
【図７】
2020018672.tif 000012
【図８】
2020018672.tif 000013
【図９】
2020018672.tif 000014
【図１０】
2020018672.tif 000015
【図１１】
2020018672.tif 000016
【図１２】
2020018672.tif 000017